【手続補正書】
【提出日】平成28年11月24日(2016.11.24)
【手続補正１】
【補正対象書類名】特許請求の範囲
【補正対象項目名】全文
【補正方法】変更
【補正の内容】
【特許請求の範囲】
【請求項１】
ワイヤレス通信ネットワークの第１の基地局と第２の基地局との間のワイヤレスバックホール通信のための方法であって、
無認可スペクトル帯域の複数のキャリアのチャネル品質をスキャンすることと、
前記複数のキャリアの前記スキャンされたチャネル品質に基づいて、前記第１の基地局と前記第２の基地局との間のワイヤレスバックホール通信リンク用の第１のキャリアを選択することと、
前記第１の基地局により、前記第１のキャリア上の第１の予約フレームを送信することと、
前記第１のキャリア上で前記第１の基地局から前記第２の基地局に、第１のバックホールトラフィックフレームにおいてバックホールデータの第１のセットを送信することと、
を備える、方法。
【請求項２】
前記第１のキャリア上で干渉を検出することと、
所定の閾値を下回る前記検出された干渉レベルに基づいて、前記第１のキャリア上で前記第１のバックホールトラフィックフレームの送信を進めることと、
をさらに備える、請求項１に記載の方法。
【請求項３】
前記第１の予約フレームの前記送信と部分的に同時に、前記第１のキャリア上の第２の予約フレームの前記第２の基地局による送信のために前記第２の基地局を調整することと、
前記第１のキャリア上で前記第２の基地局から前記第１の基地局に、前記第１のバックホールトラフィックフレーム内で時分割多重化されたバックホールデータの第２のセットを送信することと、
をさらに備える、請求項２に記載の方法。
【請求項４】
前記複数のキャリアの前記スキャンされたチャネル品質に基づいて、前記ワイヤレスバックホール通信リンク用の第２のキャリアを選択することと、
前記第２の基地局により、第２のバックホールトラフィックフレームの送信より前に、前記第２のキャリア上の第２の予約フレームを送信することと、
前記第２のキャリア上で干渉を検出することと、
前記第２のキャリア上で前記第２の基地局から前記第１の基地局に、前記第２のバックホールトラフィックフレームにおけるバックホールデータの第２のセットを送信することと、
をさらに備える、請求項２に記載の方法。
【請求項５】
前記第１の予約フレームは、ワイヤレスローカルエリアネットワーク（ＷＬＡＮ）プロトコルの送信可（ＣＴＳ）フレームを備える、請求項２に記載の方法。
【請求項６】
前記複数のキャリアの前記スキャンされたチャネル品質に基づいて、前記第１のバックホールトラフィックフレームの後の使用のための前記ワイヤレスバックホール通信リンクのための第２のキャリアを選択することと、
前記第１の予約フレームの終了前に前記第２のキャリア上の第２の予約フレームを送信することと、
前記第２のキャリア上で干渉を検出することと、
前記第２のキャリア上の第２のトラフィックフレーム内でバックホールデータの第２のセットを送信することと、
をさらに備える、請求項２に記載の方法。
【請求項７】
チャネル品質を前記スキャンすることは、前記複数のキャリアのチャネル品質を周期的に決定することを備え、キャリアを前記選択することは、前記選択されたキャリアのためのチャネル品質が１つまたは複数の選択されていないキャリアのチャネル品質よりも比較的低いとの決定に応じて、前記選択されたキャリアを更新することを備える、請求項１に記載の方法。
【請求項８】
ワイヤレスバックホール通信のための装置であって、
無認可スペクトル帯域の複数のキャリアのチャネル品質をスキャンするための手段と、
前記複数のキャリアの前記スキャンされたチャネル品質に基づいて、基地局とのワイヤレスバックホール通信リンク用の第１のキャリアを選択するための手段と、
前記第１のキャリア上の第１の予約フレームを送信するための手段と、
前記第１のキャリア上で前記基地局に第１のバックホールトラフィックフレームにおいてバックホールデータの第１のセットを送信するための手段と、
を備える、装置。
【請求項９】
前記第１のキャリア上で干渉を検出するための手段と、
所定の閾値を下回る前記検出された干渉レベルに基づいて、前記第１のキャリア上で前記第１のバックホールトラフィックフレームの送信を進めるための手段と、
をさらに備える、請求項８に記載の装置。
【請求項１０】
前記基地局によって送信されたバックホールデータの第２のセットを受信するための手段をさらに備え、バックホールデータの前記第２のセットは、前記第１のキャリア上で前記第１のバックホールトラフィックフレーム内で時分割多重化される、請求項９に記載の装置。
【請求項１１】
前記第１の予約フレームの前記送信と部分的に同時に、前記第１のキャリア上の第２の予約フレームの第２の基地局による送信のために前記第２の基地局を調整するための手段
をさらに備える、請求項９に記載の装置。
【請求項１２】
前記複数のキャリアの前記スキャンされたチャネル品質に基づいて、前記ワイヤレスバックホール通信リンク用の第２のキャリアを選択するための手段と、
前記第２のキャリア上で前記基地局から、第２のバックホールトラフィックフレームにおけるバックホールデータの第２のセットを受信するための手段と、
をさらに備える、請求項９に記載の装置。
【請求項１３】
前記複数のキャリアの前記スキャンされたチャネル品質に基づいて、前記第１のバックホールトラフィックフレームの後の使用のための前記ワイヤレスバックホール通信リンクのための第２のキャリアを選択するための手段と、
前記第１の予約フレームの終了前に前記第２のキャリア上の第２の予約フレームを送信するための手段と、
前記第２のキャリア上で干渉を検出するための手段と、
前記第２のキャリア上の第２のトラフィックフレーム内でバックホールデータの第２のセットを送信するための手段と、
をさらに備える、請求項９に記載の装置。
【請求項１４】
チャネル品質をスキャンするための前記手段は、前記複数のキャリアのチャネル品質を周期的に決定するための手段を備え、キャリアを選択するための前記手段は、前記選択されたキャリアのためのチャネル品質が１つまたは複数の選択されていないキャリアのチャネル品質よりも比較的低いとの決定に応じて、前記選択されたキャリアを更新するための手段を備える、請求項８に記載の装置。
【請求項１５】
ワイヤレス通信ネットワークの第１の基地局と第２の基地局との間のワイヤレスバックホールのためのコンピュータプログラム製品であって、請求項１から７のいずれか１つの方法をコンピュータに行わせるためのコードを備える非一時的なコンピュータ可読媒体を備える、コンピュータプログラム製品。
【手続補正２】
【補正対象書類名】明細書
【補正対象項目名】００９８
【補正方法】変更
【補正の内容】
【００９８】
[0107]  本開示の先の説明は、当業者が本開示を製造または使用することを可能にするように提供される。本開示に対する様々な変更は、当業者に容易に理解され、本明細書で定義された一般的な原理は、本開示の精神または範囲から逸脱せずに、他の変形に適用され得る。本開示を通して、用語「例（example）」あるいは「例示的（exemplary）」は、例あるいは実例を示すものであり、言及された例に対するいかなる選好を暗に示すものでも必要とするものでもない。よって、本開示は、本明細書で説明された例および設計に限定されるように意図されたものではなく、本明細書で開示された原理および新規な特徴と一致する最も広い範囲が付与されるべきである。
以下に、本願出願の当初の特許請求の範囲に記載された発明を付記する。
［Ｃ１］
ワイヤレス通信ネットワークの第１の基地局と第２の基地局との間のワイヤレスバックホール通信のための方法であって、
無認可スペクトル帯域の複数のキャリアのチャネル品質をスキャンすることと、
前記複数のキャリアの前記スキャンされたチャネル品質に基づいて、前記第１の基地局と前記第２の基地局との間のワイヤレスバックホール通信リンク用の第１のキャリアを選択することと、
前記第１の基地局により、前記第１のキャリア上の第１の予約フレームを送信することと、
前記第１のキャリア上で前記第１の基地局から前記第２の基地局に、第１のバックホールトラフィックフレームにおいてバックホールデータの第１のセットを送信することと、
を備える、方法。
［Ｃ２］
前記第１のキャリア上で干渉を検出することと、
所定の閾値を下回る前記検出された干渉レベルに基づいて、前記第１のキャリア上で前記第１のバックホールトラフィックフレームの送信を進めることと、
をさらに備える、Ｃ１に記載の方法。
［Ｃ３］
前記第１の予約フレームの前記送信と部分的に同時に、前記第１のキャリア上の第２の予約フレームの前記第２の基地局による送信のために前記第２の基地局を調整することと、
前記第１のキャリア上で前記第２の基地局から前記第１の基地局に、前記第１のバックホールトラフィックフレーム内で時分割多重化されたバックホールデータの第２のセットを送信することと、
をさらに備える、Ｃ１に記載の方法。
［Ｃ４］
前記複数のキャリアの前記スキャンされたチャネル品質に基づいて、前記ワイヤレスバックホール通信リンク用の第２のキャリアを選択することと、
前記第２の基地局により、第２のバックホールトラフィックフレームの送信より前に、前記第２のキャリア上の第２の予約フレームを送信することと、
前記第２のキャリア上で干渉を検出することと、
前記第２のキャリア上で前記第２の基地局から前記第１の基地局に、前記第２のバックホールトラフィックフレームにおけるバックホールデータの第２のセットを送信することと、
をさらに備える、Ｃ２に記載の方法。
［Ｃ５］
前記第１の予約フレームは、ワイヤレスローカルエリアネットワーク（ＷＬＡＮ）プロトコルの送信可（ＣＴＳ）フレームを備える、Ｃ２に記載の方法。
［Ｃ６］
前記複数のキャリアの前記スキャンされたチャネル品質に基づいて、前記第１のバックホールトラフィックフレームの後の使用のための前記ワイヤレスバックホール通信リンクのための第２のキャリアを選択することと、
前記第１の予約フレームの終了前に前記第２のキャリア上の第２の予約フレームを送信することと、
前記第２のキャリア上で干渉を検出することと、
前記第２のキャリア上の第２のトラフィックフレーム内でバックホールデータの第２のセットを送信することと、
をさらに備える、Ｃ２に記載の方法。
［Ｃ７］
チャネル品質を前記スキャンすることは、前記複数のキャリアのチャネル品質を周期的に決定することを備え、キャリアを前記選択することは、前記選択されたキャリアのためのチャネル品質が１つまたは複数の選択されていないキャリアのチャネル品質よりも比較的低いとの決定に応じて、前記選択されたキャリアを更新することを備える、Ｃ１に記載の方法。
［Ｃ８］
ワイヤレスバックホール通信のための装置であって、
無認可スペクトル帯域の複数のキャリアのチャネル品質をスキャンするための手段と、
前記複数のキャリアの前記スキャンされたチャネル品質に基づいて、基地局とのワイヤレスバックホール通信リンク用の第１のキャリアを選択するための手段と、
前記第１のキャリア上の第１の予約フレームを送信するための手段と、
前記第１のキャリア上で前記基地局に第１のバックホールトラフィックフレームにおいてバックホールデータの第１のセットを送信するための手段と、
を備える、装置。
［Ｃ９］
前記第１のキャリア上で干渉を検出するための手段と、
所定の閾値を下回る前記検出された干渉レベルに基づいて、前記第１のキャリア上で前記第１のバックホールトラフィックフレームの送信を進めるための手段と、
をさらに備える、Ｃ８に記載の装置。
［Ｃ１０］
前記基地局によって送信されたバックホールデータの第２のセットを受信するための手段をさらに備え、バックホールデータの前記第２のセットは、前記第１のキャリア上で前記第１のバックホールトラフィックフレーム内で時分割多重化される、Ｃ９に記載の装置。
［Ｃ１１］
前記第１の予約フレームの前記送信と部分的に同時に、前記第１のキャリア上の第２の予約フレームの第２の基地局による送信のために前記第２の基地局を調整するための手段
をさらに備える、Ｃ９に記載の装置。
［Ｃ１２］
前記複数のキャリアの前記スキャンされたチャネル品質に基づいて、前記ワイヤレスバックホール通信リンク用の第２のキャリアを選択するための手段と、
前記第２のキャリア上で前記基地局から、第２のバックホールトラフィックフレームにおけるバックホールデータの第２のセットを受信するための手段と、
をさらに備える、Ｃ９に記載の装置。
［Ｃ１３］
前記複数のキャリアの前記スキャンされたチャネル品質に基づいて、前記第１のバックホールトラフィックフレームの後の使用のための前記ワイヤレスバックホール通信リンクのための第２のキャリアを選択するための手段と、
前記第１の予約フレームの終了前に前記第２のキャリア上の第２の予約フレームを送信するための手段と、
前記第２のキャリア上で干渉を検出するための手段と、
前記第２のキャリア上の第２のトラフィックフレーム内でバックホールデータの第２のセットを送信するための手段と、
をさらに備える、Ｃ９に記載の装置。
［Ｃ１４］
チャネル品質をスキャンするための前記手段は、前記複数のキャリアのチャネル品質を周期的に決定するための手段を備え、キャリアを選択するための前記手段は、前記選択されたキャリアのためのチャネル品質が１つまたは複数の選択されていないキャリアのチャネル品質よりも比較的低いとの決定に応じて、前記選択されたキャリアを更新するための手段を備える、Ｃ８に記載の装置。
［Ｃ１５］
ワイヤレス通信ネットワークの第１の基地局と第２の基地局との間のワイヤレスバックホール通信のための通信デバイスであって、
無認可スペクトル帯域の複数のキャリアのチャネル品質をスキャンするように構成されたワイヤレスネットワークトランシーバと、
前記ワイヤレスネットワークトランシーバと通信するバックホールトランシーバと、
前記複数のキャリアの前記スキャンされたチャネル品質に基づいて、前記第１の基地局と前記第２の基地局との間のワイヤレスバックホール通信リンク用の第１のキャリアを選択し、
前記第１の基地局により、前記第１のキャリア上の第１の予約フレームを送信し、
前記第１のキャリア上で前記第１の基地局から前記第２の基地局に、第１のバックホールトラフィックフレームにおいてバックホールデータの第１のセットを送信するように構成されたワイヤレスモデムと、
を備える、通信デバイス。
［Ｃ１６］
前記ワイヤレスモデムは、
前記第１のキャリア上で干渉を検出するようにさらに構成され、
前記少なくとも１つのバックホールトランシーバは、所定の閾値を下回る前記検出された干渉レベルに基づいて、前記第１のキャリア上での前記第１のバックホールトラフィックフレームの送信を進めるように構成される、Ｃ１５に記載の通信デバイス。
［Ｃ１７］
前記ワイヤレスモデムは、
前記第１の予約フレームの前記送信と部分的に同時に、前記第１のキャリア上の第２の予約フレームの前記第２の基地局による送信のために前記第２の基地局を調整し、
前記第１のキャリア上で前記第２の基地局から前記第１の基地局に、前記第１のバックホールトラフィックフレーム内で時分割多重化されたバックホールデータの第２のセットを送信するようにさらに構成される、Ｃ１６に記載の通信デバイス。
［Ｃ１８］
前記ワイヤレスモデムは、
前記複数のキャリアの前記スキャンされたチャネル品質に基づいて、前記ワイヤレスバックホール通信リンク用の第２のキャリアを選択し、
前記第２のキャリア上で前記第２の基地局から、第２のバックホールトラフィックフレームにおいてバックホールデータの第２のセットを受信するようにさらに構成される、Ｃ１６に記載の通信デバイス。
［Ｃ１９］
前記ワイヤレスモデムは、
前記複数のキャリアの前記スキャンされたチャネル品質に基づいて、前記第１のバックホールトラフィックフレームの後の使用のための前記ワイヤレスバックホール通信リンクのための第２のキャリアを選択し、
前記第１の予約フレームの終了前に前記第２のキャリア上の第２の予約フレームを送信し、
前記第２のキャリア上で干渉を検出し、
前記第２のキャリア上の第２のトラフィックフレーム内でバックホールデータの第２のセットを送信するように、
さらに構成される、Ｃ１６に記載の通信デバイス。
［Ｃ２０］
前記ワイヤレスモデムは、
前記複数のキャリアのチャネル品質を周期的に決定し、
前記選択されたキャリアのためのチャネル品質が１つまたは複数の選択されていないキャリアのチャネル品質よりも比較的低いとの決定に応じて、前記選択されたキャリアを更新するようにさらに構成される、Ｃ１５に記載の通信デバイス。
［Ｃ２１］
ワイヤレス通信ネットワークの第１の基地局と第２の基地局との間のワイヤレスバックホールのためのコンピュータプログラム製品であって、
非一時的なコンピュータ可読媒体を備え、前記非一時的なコンピュータ可読媒体は、
コンピュータに、無認可スペクトル帯域の複数のキャリアのチャネル品質をスキャンさせるためのコードと、
前記コンピュータに、前記複数のキャリアの前記スキャンされたチャネル品質に基づいて、前記第１の基地局と前記第２の基地局との間のワイヤレスバックホール通信リンク用の第１のキャリアを選択させるためのコードと、
前記コンピュータに、前記第１の基地局により、前記第１のキャリア上の第１の予約フレームを送信させるためのコードと、
前記コンピュータに、前記第１のキャリア上で前記第１の基地局から前記第２の基地局に、第１のバックホールトラフィックフレームにおいてバックホールデータの第１のセットを送信させるためのコードと、
を備える、コンピュータプログラム製品。
［Ｃ２２］
前記非一時的なコンピュータ可読媒体は、
前記コンピュータに、前記第１のキャリア上で干渉を検出させるためのコードと、
前記コンピュータに、所定の閾値を下回る前記検出された干渉レベルに基づいて、前記第１のキャリア上での前記第１のバックホールトラフィックフレームの送信を進めさせるためのコードとをさらに備える、Ｃ２１に記載のコンピュータプログラム製品。
［Ｃ２３］
前記非一時的なコンピュータ可読媒体は、
前記コンピュータに、前記第１の予約フレームの前記送信と実質的に同時に、前記第１のキャリア上の第２の予約フレームの前記第２の基地局による送信のために前記第２の基地局を調整させるためのコードと、
前記コンピュータに、前記第１のキャリア上で前記第２の基地局から前記第１の基地局に、前記第１のバックホールトラフィックフレーム内で時分割多重化されたバックホールデータの第２のセットを送信させるためのコードと、
をさらに備える、Ｃ２２に記載のコンピュータプログラム製品。
［Ｃ２４］
前記非一時的なコンピュータ可読媒体は、
前記コンピュータに、前記複数のキャリアの前記スキャンされたチャネル品質に基づいて、前記ワイヤレスバックホール通信リンク用の第２のキャリアを選択させるためのコードと、
前記コンピュータに、前記第２のキャリア上で前記第２の基地局から、第２のバックホールトラフィックフレームにおいてバックホールデータの第２のセットを受信させるためのコードとをさらに備える、Ｃ２２に記載のコンピュータプログラム製品。
［Ｃ２５］
前記第１の予約フレームは、ワイヤレスローカルエリアネットワーク（ＷＬＡＮ）プロトコルの送信可（ＣＴＳ）フレームを備える、Ｃ２２に記載のコンピュータプログラム製品。
［Ｃ２６］
前記第１のバックホールトラフィックフレームは、前記ＷＬＡＮプロトコルと互換性がないバックホール最適化トラフィックフレームを備える、Ｃ２５に記載のコンピュータプログラム製品。
［Ｃ２７］
前記非一時的なコンピュータ可読媒体は、
前記コンピュータに、前記複数のキャリアの前記スキャンされたチャネル品質に基づいて、前記第１のバックホールトラフィックフレームの後の使用のための前記ワイヤレスバックホール通信リンクのための第２のキャリアを選択させるためのコードと、
前記コンピュータに、前記第１の予約フレームの終了前に前記第２のキャリア上の第２の予約フレームを送信させるためのコードと、
前記コンピュータに、前記第２のキャリア上で干渉を検出させるためのコードと、
前記コンピュータに、前記第２のキャリア上の第２のトラフィックフレーム内でバックホールデータの第２のセットを送信させるためのコードと、
をさらに備える、Ｃ２２に記載のコンピュータプログラム製品。
［Ｃ２８］
前記コンピュータにチャネル品質をスキャンさせるための前記コードは、前記コンピュータに、前記複数のキャリアのチャネル品質を周期的に決定させるためのコードを備え、前記コンピュータにキャリアを選択させるための前記コードは、前記コンピュータに、前記選択されたキャリアのチャネル品質が１つまたは複数の選択されていないキャリアのチャネル品質よりも比較的低いとの決定に応じて、前記選択されたキャリアを更新させるためのコードを備える、Ｃ２１に記載のコンピュータプログラム製品。
［Ｃ２９］
前記無認可スペクトル帯域は、ワイヤレスローカルエリアネットワーク（ＷＬＡＮ）による使用にオープンな共有のスペクトル帯域を備える、Ｃ２１に記載のコンピュータプログラム製品。
［Ｃ３０］
前記複数のキャリアの前記チャネル品質をスキャンすることは、ＷＬＡＮトランシーバによって実行され、
前記第１のトラフィックフレームを前記送信することは、バックホールトランシーバによって実行される、Ｃ２１に記載のコンピュータプログラム製品。